(57)【要約】【課題】  封印作業を容易にし、封印解除の履歴を残して、不正な交換ユニットの交換を防止し、また、第２孔部から差し込み矢羽根部を抜き取ることにより、封印状態を解除して、交換ユニットを筐体から取り外すことが可能な遊技機を提供する。【解決手段】  差し込み孔(121)は、差し込み矢羽根部(101)を変形させて差し込み可能であるが抜き取りは、差し込み部(106)を抜き取り不可能とする第１孔部(123)と、第１孔部(123)へ差し込んだ差し込み矢羽根部(101)が特定の方向へ移動することで、差し込み部(106)を抜き取り可能とする第２孔部(122)とによって形成され、差し込み部(106)を第１孔部(123)に差し込むことにより交換ユニット(40)及び筐体(1)の間を封印状態にして、差し込み体(100)を破壊することで特定の方向に移動可能とすることにより封印状態を解除する。【選択図】    図１
2006141420.tif 000002
【特許請求の範囲】
【請求項１】
正面側に開口する正面開口部を有する筐体と、
前記正面開口部を開閉自在に塞ぐために前記筐体に取り付ける扉と、
前記筐体内部に固定して遊技を行うための遊技装置を有する交換ユニットと、
前記交換ユニットを、前記筐体に固定した際に、両者の間を封印し、前記交換ユニットを取り外す際には封印を解かれる封印手段とを備えた遊技機において、
前記封印手段は、
前記筐体及び前記交換ユニットのうち、いずれかに一方の端部が固定され、他方の端部に差し込み部を有する差し込み体と、
前記筐体及び前記交換ユニットのうち、前記差し込み体を設けていない方に固定して、前記差し込み部を差し込み可能な差し込み孔を有する被差し込み体とを備え、
前記差し込み部は、前記被差し込み体へ差し込めるように移動自在に支持され、
前記差し込み部は、前記差し込み孔へ差し込み可能な矢羽根状の差し込み矢羽根部を備え、
前記差し込み孔は、
他の方向では、前記差し込み矢羽根部を変形させることにより差し込み可能であるが抜き取りは、前記差し込み矢羽根部が引っかかって、前記差し込み部を抜き取り不可能とする第１孔部と、前記第１孔部へ差し込んだ差し込み矢羽根部が特定の方向へ移動することによって、前記差し込み部を抜き取り可能とする第２孔部とによって形成され、
前記差し込み部を前記第１孔部に差し込むことにより前記交換ユニット及び前記筐体の間を封印状態にして、前記差し込み体を破壊することで前記特定の方向に移動可能とすることにより前記封印状態を解除することを特徴とする遊技機。
【請求項２】
前記差し込み体は、封印状態を解除するために、前記第１孔部に差し込まれた前記差し込み部を、前記第２孔部に一致するようにねじったときには、前記差し込み体を破壊するくびれ部を備えたことを特徴とする請求項１記載の遊技機。
【請求項３】
前記被差し込み体は、
前記差し込み孔が連通し、且つ、前記差し込み部を収納可能な収納空間を有する被差し込み収納部を備え、
前記差し込み部を、前記第１孔部から差し込んで封印状態にした後、前記差し込み体を破壊して封印状態を解除すると、前記差し込み部は、前記差し込み収納部の内部に残留することを特徴とする請求項１又は請求項２に記載の遊技機。
【請求項４】
前記被差し込み体は、外部から内部を見ることが可能な透明部材により形成されていることを特徴とする請求項３に記載の遊技機。
【請求項５】
前記被差し込み体は、枠状の枠体であることを特徴とする請求項３に記載の遊技機。
【発明の詳細な説明】
【技術分野】
【０００１】
この発明は、遊技機における交換ユニットを筐体に封印することができる遊技機に関するものである。
【背景技術】
【０００２】
従来、この種の遊技機、具体的には、例えばスロットマシンとしては、制御回路基板を備えており、そこには、当選抽選手段や、当選確率の異なる各種設定や、回転リールの停止制御等を司るＣＰＵや、制御プログラムや、各種の設定や、当選確率等を記憶したＲＯＭや、遊技状況等を記憶するＲＡＭ等が搭載されている。例えば、スロットマシンにおいて、かかる制御回路基板は、筐体の上部背面側に位置する基板ボックス内に収納されている。近年、かかる基板ボックス内に収納された制御回路基板から遊技内容等に関する制御プログラムが記憶されたＲＯＭ等を取り外して交換し、遊技機の遊技内容を変更するといった不正行為が問題になっている。このような不正行為の防止対策として、基板ボックス内部からＲＯＭ等を取り外すことができないように、スロットマシンの本体キャビネットと、基板ボックスとを封印するものが提案されている。かかる封印の代表例として、それらの間に封印シールを貼ったものや、それらを特殊ねじ等を用いて接合するものがある。このように、スロットマシンの本体キャビネットと、基板ボックスとを封印することで、基板ボックスが取り外されて、ＲＯＭ等の制御回路が取り外され、異なる制御回路が取り付けられるといった不正行為の抑制が図られている。
【０００３】
一方、従来のスロットマシンは、正面側に開口する筺形の本体キャビネットと、本体キャビネットの開口部を開閉自在に塞ぐ扉とから成り、本体キャビネットの内部に、リールユニット、ホッパーユニット、遊技を司る制御回路基板等が固定設置され、全体が構成されていた。このような、従来のスロットマシンにおいては、遊技内容を変更する際には本体キャビネット、扉、リールユニット、ホッパーユニット等のスロットマシン全体をまるごと交換しなければならなかった。しかし、遊技内容を変更するための台交換の際、遊技を担当しないホッパーユニット等も同時に交換されることとなり、交換に要する費用がかかるだけでなく、資源の無駄になっていた。そこで、近年、スロットマシンを、遊技性に関わる部分と、遊技性に直接関わらない部分とに分け、このうち遊技性に関わる部分、すなわちリールユニット及び主制御回路基板等を交換することにより、全体を交換することなく、新しいスロットマシンで遊技しているかのような印象を与えることができる分離型スロットマシンの開発が進められている。そして、遊技装置を有する交換ユニットを固定装置を介して本体キャビネットである筐体に取り付けた状態で、それらの間を封印することにより、交換ユニットが、取り外されて不正行為が行われることを防止することができるようにしたものが知られている（例えば、特許文献１。）。
【特許文献１】特開２００３−２３６０３８号公報（第１１図）
【発明の開示】
【発明が解決しようとする課題】
【０００４】
しかし、上記した特開２００３−２３６０３８号公報に記載した従来の遊技機では、固定装置であるキャッチクリップに取り付ける円環状の封印具である封印タグは、途中を切断して封印を解除すると、切断した封印タグは、フリーとなって、役目を終えてしまい、固定装置から完全に外れていた。このため、切断した封印タグを回収してしまうと、封印タグが無い状態となって、その状態が封印が解除された状態なのか、或いは、最初から封印が行われていなかったのか、後から見た者は、理解できないといった第１の問題点があった。
また、上記した従来技術では、封印するための封印具である封印タグは、封印する前の状態において、遊技機とは、別体となっているため、遊技機と、封印タグとの２部品を別個に搬送し、それぞれ独立に管理しなければならず、管理が手間であるといった第２の問題点があった。
【０００５】
また、円環状の封印タグの途中が切断されると、封印タグは、キャッチクリップから外れてしまい、回収が行われない場合は、遊技機内部にゴミとして残ってしまい、遊技機内部の各部品の内部に入り込んだり、部品間の隙間に入り込んだり、部品の間を浮遊するゴミのようなものとなってしまい部品の正常作動に悪影響を与えかねないといった第３の問題点があった。
なお、上記の遊技機は、遊技媒体として、円板状の遊技メダルを使用するスロットマシンであるが、遊技内容は、スロットマシンと同様に、周囲に図柄を配置した回転リールを回転表示させるものであるが、遊技媒体として、球状のパチンコ玉を使用する、いわゆるパロットにおいても、上述したものと同様の問題点を有するものである。
【０００６】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１から第２までの問題点に鑑みてなされたものであり、その目的とするところは、差し込み体を、筐体や交換ユニットと別個独立に管理する必要がなく、封印作業を容易にすることができ、また、差し込み体が切断されると、差し込み体の一部が交換ユニットに固定された状態のままとなって、封印解除の履歴を残すことができて、不正な交換ユニットの交換を防止することができ、また、第２孔部から差し込み矢羽根部を抜き取ることにより、封印状態を解除して、交換ユニットを筐体から取り外すことが可能な遊技機を提供しようとするものである。
【０００７】
（請求項２）  請求項２記載の発明は、上記した請求項１記載の発明の目的に加え、次の点を目的とする。すなわち、請求項２記載の発明は、差し込み体をねじるだけで、差し込み体を差し込み孔から抜くことができて、封印状態を解除できる上に、封印を解除した痕跡を、差し込み体に残すことができるようにした遊技機を提供しようとするものである。
（請求項３）  請求項３記載の発明は、上記した請求項１又は請求項２記載の発明の目的に加え、次の点を目的とする。すなわち、請求項３記載の発明は、上記した従来の技術の有する第３の問題点に鑑みてなされたものであり、その目的とするところは、差し込み体を切断した場合、切断した破片が、遊技機内部にゴミとして残ってしまうことを回避することができるようにした遊技機を提供しようとするものである。
【０００８】
（請求項４）  請求項４記載の発明は、上記した請求項３に記載の発明の目的に加え、次の点を目的とする。すなわち、請求項４記載の発明は、被差し込み体を開放することなく、被差し込み体の外部から過去の封印状態や、封印解除の履歴を、外側から簡単に理解することができるようにした遊技機を提供しようとするものである。
（請求項５）  請求項５記載の発明は、上記した請求項３に記載の発明の目的に加え、次の点を目的とする。すなわち、請求項５記載の発明は、被差し込み体を開放することなく、被差し込み体の外部から過去の封印状態や、封印解除の履歴を、外側から簡単に理解することができるようにした遊技機を提供しようとするものである。
【課題を解決するための手段】
【０００９】
（請求項１）  請求項１記載の発明は、次の点を特徴とする。すなわち、正面側に開口する正面開口部(27)を有する筐体(1)と、前記正面開口部(27)を開閉自在に塞ぐために前記筐体(1)に取り付ける扉(2)と、前記筐体(1)内部に固定して遊技を行うための遊技装置を有する交換ユニット(40)と、前記交換ユニット(40)を、前記筐体(1)に固定した際に、両者の間を封印し、前記交換ユニット(40)を取り外す際には封印を解かれる封印手段(90)とを備えた遊技機(S)において、前記封印手段(90)は、前記筐体(1)及び前記交換ユニット(40)のうち、いずれかに一方の端部が固定され、他方の端部に差し込み部(106)を有する差し込み体(100)と、前記筐体(1)及び前記交換ユニット(40)のうち、前記差し込み体(100)を設けていない方に固定して、前記差し込み部(106)を差し込み可能な差し込み孔(121)を有する被差し込み体(120)とを備え、前記差し込み部(106)は、前記被差し込み体(120)へ差し込めるように移動自在に支持され、前記差し込み部(106)は、前記差し込み孔(121)へ差し込み可能な矢羽根状の差し込み矢羽根部(101)を備え、前記差し込み孔(121)は、他の方向では、前記差し込み矢羽根部(101)を変形させることにより差し込み可能であるが抜き取りは、前記差し込み矢羽根部(101)が引っかかって、前記差し込み部(106)を抜き取り不可能とする第１孔部(123)と、前記第１孔部(123)へ差し込んだ差し込み矢羽根部(101)が特定の方向へ移動することによって、前記差し込み部(106)を抜き取り可能とする第２孔部(122)とによって形成され、前記差し込み部(106)を前記第１孔部(123)に差し込むことにより前記交換ユニット(40)及び前記筐体(1)の間を封印状態にして、前記差し込み体(100)を破壊することで前記特定の方向に移動可能とすることにより前記封印状態を解除することを特徴とする。
【００１０】
なお、ここで、本願発明における「封印」とは、封止部に印が押される、いわゆる「封印」に限るものではない。本願発明における「封印」とは、封印に係る両者（例えば、交換ユニット(40)及び筐体(1)）が予め予定した距離を越えて離されたり、位置関係を変えられたりすると、原則として、その痕跡が残って発見できるような状態を総称していう。封印した状態では、交換ユニット(40)を筐体(1)から、原則として取り外すことができないものであって、交換ユニット40を筐体1から取り外すためには、一旦封印した状態を解かなければならず、いわゆる封印解除状態にしなければならず、その際には、原則として、封印解除した何らかの痕跡が残るように設定されているものである。
【００１１】
更に、本願発明における「封印」には、上記原則に加えて、封印具である差し込み体(100)が結果としては破壊されないとしても、破壊される可能性が高いものや、封印を解除するためには時間や手間がかかって困難性を伴うが、筐体(1)及び交換ユニット(40)を分離することが有る程度は可能なものも含む。すなわち、差し込み体(100)を破断させずに、筐体(1)及び交換ユニット(40)を分離させるためには、かなりの時間及び手間を有して分離させることが簡単ではなく、困難性を伴うものを含むものである。
具体的には、本願発明では、差し込み体(100)が特定の方向である第２孔部(122)のときだけ、差し込み孔(121)から抜き差しすることができるが、かかる第２孔部(122)以外の方向では、差し込み体(100)を差し込み孔(121)から抜き出すことができないようなものであって、筐体(1)及び交換ユニット(40)を分離させるためには、差し込み体(100)を特定方向の第２孔部(122)に整合させなければならず、かなりの時間及び手間を有して困難性を伴うものである。
【００１２】
また、ここで、上述した「交換ユニット(40)」は、実施の形態に示すような略四角枠状の支持体(6)にリールユニット(10)及び制御装置(73)を固定したものを含む。さらに、この交換ユニット(40)には、さらに上扉(21)を開閉自在に固定した扉一体型交換ユニット(41)も含むものである。更に、この「交換ユニット(40)」には、本実施の形態で説明した交換ユニット(40)や、扉一体型交換ユニット(41)に限定されるものではなく、遊技機(S)の筐体(1)内部に固定して、遊技を行うための遊技装置であれば良いものである。具体的には、この交換ユニット(40)には、払い出し装置(5)や、電源装置(8)や、その他の筐体(1)内部に固定して、遊技を行うために使用する遊技装置であれば、他の部品装置も含むものである。
【００１３】
（作用）  本発明は、差し込み体(100)の一方の端部は、筐体(1)又は交換ユニット(40)のいずれかに固定されている。このため、封印作業を行う前においても、差し込み体(100)は、筐体(1)又は交換ユニット(40)のいずれかの部品と一体となっている状態であるため、遊技機(S)とは別に、差し込み体(100)を別個独立に管理する必要がなく、交換作業を容易なものにすることができる。
そして、封印を解除するために、差し込み体(100)の途中を切断した場合、差し込み体(100)の固定されている一方側の端部は、筐体(1)又は交換ユニット(40)のいずれかに固定されたままの状態となる。これにより、差し込み体(100)が切断された後も、その一方側の端部が、残って、封印解除の履歴を残すことができる。
【００１４】
そして、差し込み体(100)の差し込み矢羽根部(101)は、差し込み孔(121)の第２孔部(122)に対して、抜き取り可能である。このため、差し込み矢羽根部(101)を第１孔部(123)から一旦、差し込み孔(121)に挿入した後、差し込み体(100)の差し込み矢羽根部(101)を被差し込み体(120)の第２孔部(122)から取り外すことができる。これにより、頻繁な点検や、作業においても、封印状態を簡単に解除することができる。なお、差し込み体(100)の差し込み矢羽根部(101)は、第２孔部(122)でしか、抜き差しすることができず、第１孔部(123)からは、抜き取ることができないため、差し込み矢羽根部(101)が第１孔部(123)に差し込まれた通常の状態では、両者を分離することができず、封印状態を維持することができる。
【００１５】
（請求項２）  請求項２記載の発明は、上記した請求項１に記載の発明の特徴点に加え、次の点を特徴とする。すなわち、前記差し前記差し込み体(100)は、封印状態を解除するために、前記第１孔部(123)に差し込まれた前記差し込み部(106)を、前記第２孔部(122)に一致するようにねじったときには、前記差し込み体(100)を破壊するくびれ部(102)を備えたことを特徴とする。
（作用）  本発明は、第１孔部(123)に差し込まれた差し込み体(100)を、第２孔部(122)に一致するようにねじったときには、差し込み体(100)が第２孔部(122)から抜けて、封印状態を解除する。その際、差し込み体(100)は、くびれ部(102)を有しているため、差し込み体(100)を第２孔部(122)に一致するようにねじったときには、差し込み体(100)は、くびれ部(102)から破壊される。これにより、封印を解除した痕跡を、差し込み体(100)に残すことができる。
【００１６】
（請求項３）  請求項３記載の発明は、上記した請求項１又は請求項２記載の発明の特徴点に加え、次の点を特徴とする。すなわち、前記被差し込み体(120)は、前記差し込み孔(121)が連通し、且つ、前記差し込み部(106)を収納可能な収納空間を有する被差し込み収納部(128)を備え、前記差し込み部(106)を、前記第１孔部(123)から差し込んで封印状態にした後、前記差し込み体(100)を破壊して封印状態を解除すると、前記差し込み部(106)は、前記差し込み収納部(128)の内部に残留することを特徴とする。
（作用）  本発明は、差し込み部(106)を、第１孔部(123)から差し込んで封印状態にした後、差し込み体(100)を破壊して封印状態を解除すると、差し込み部(106)は、差し込み収納部(128)の内部に残留する。これにより、差し込み部(106)の回収を行わなくても、遊技機内部にゴミとして、浮遊した状態で残るようなことを防止することができる。したがって、かかる切断ゴミが、遊技機内部の各部品の内部に入り込んだり、部品間の隙間に入り込んだり、部品の間を浮遊するゴミのようなものとなってしまい部品の正常作動に悪影響を与えるようなことを防止することができる。
【００１７】
更に、差し込み部(106)を差し込み収納部(128)に残留させることができるため、差し込み収納部(128)内部に残留した差し込み部(106)を見ることにより、過去の封印状態や、封印解除の履歴を一目で明らかなものにすることができる。これにより、遊技機の維持管理を容易なものにすることができる。
（請求項４）  請求項４記載の発明は、上記した請求項３に記載の発明の特徴点に加え、次の点を特徴とする。すなわち、前記被差し込み体(120)は、外部から内部を見ることが可能な透明部材により形成されていることを特徴とする。
（作用）  本発明は、被差し込み体(120)を外部から内部を見ることができる透明部材により形成しているため、被差し込み体(120)の内部を開くことなく、被差し込み体(120)の内部に残留する差し込み部(106)を見ることができる。これにより、被差し込み体(120)を開放することなく、過去の封印状態や、封印解除の履歴を、外側から簡単に理解することができる。
【００１８】
（請求項５）  請求項５記載の発明は、上記した請求項３に記載の発明の特徴点に加え、次の点を特徴とする。すなわち、前記被差し込み体(120)は、枠状の枠体であることを特徴とする。
（作用）  本発明は、被差し込み体(120)が枠状の枠体であるため、被差し込み体(120)の内部を開くことなく、被差し込み体(120)の内部に残留する差し込み部(106)を見ることができる。これにより、被差し込み体(120)を開放することなく、過去の封印状態や、封印解除の履歴を、外側から簡単に理解することができる。
【発明の効果】
【００１９】
本発明は、以上のように構成されているので、以下に記載されるような効果を奏する。
（請求項１）  請求項１記載の発明によれば、次のような効果を奏する。すなわち、請求項１記載の発明によれば、差し込み体を、筐体や交換ユニットと別個独立に管理する必要がなく、封印作業を容易にすることができ、また、差し込み体が切断されると、差し込み体の一部が交換ユニットに固定された状態のままとなって、封印解除の履歴を残すことができて、不正な交換ユニットの交換を防止することができ、また、第２孔部から差し込み矢羽根部を抜き取ることにより、差し込み体を切断することなく、一時的に封印状態を解除して、交換ユニットを筐体から取り外すことが可能な遊技機を提供することができる。
【００２０】
（請求項２）  請求項２記載の発明によれば、上記した請求項１記載の発明の効果に加え、次のような効果を奏する。すなわち、請求項２記載の発明によれば、差し込み体をねじるだけで、差し込み体を差し込み孔から抜くことができて、封印状態を解除できる上に、封印を解除した痕跡を、差し込み体に残すことができるようにした遊技機を提供することができる。
（請求項３）  請求項３記載の発明によれば、上記した請求項１又は請求項２記載の発明の効果に加え、次のような効果を奏する。すなわち、請求項３記載の発明によれば、差し込み体を切断した場合、切断した破片が、遊技機内部にゴミとして残ってしまうことを回避することができるようにした遊技機を提供することができる。
【００２１】
（請求項４）  請求項４記載の発明によれば、上記した請求項３に記載の発明の効果に加え、次のような効果を奏する。すなわち、請求項４記載の発明によれば、被差し込み体を開放することなく、被差し込み体の外部から過去の封印状態や、封印解除の履歴を、外側から簡単に理解することができるようにした遊技機を提供することができる。
（請求項５）  請求項５記載の発明によれば、上記した請求項３に記載の発明の効果に加え、次のような効果を奏する。すなわち、請求項５記載の発明によれば、被差し込み体を開放することなく、被差し込み体の外部から過去の封印状態や、封印解除の履歴を、外側から簡単に理解することができるようにした遊技機を提供することができる。
【発明を実施するための最良の形態】
【００２２】
（図面の説明）  図１乃至図６は、本発明の実施の形態を示すものである。図１は封印手段を横方向から見た状態の縦断面図、図２は封印手段を正面方向から見た状態の縦断面図、図３は差し込み体、係止棒及び係止ケースの外観斜視図、図４は遊技機の外観正面図、図５は上扉、下扉、交換ユニット及び筐体を分離した状態の外観斜視図、図６は上扉、下扉及び筐体を分離した状態の外観斜視図をそれぞれ示すものである。
（遊技機S）  本実施の形態に係る遊技機Sは、具体的には、スロットマシンであって、大きく分けて、正面側に開口する正面開口部27を有する筐体1と、この筐体1内部に着脱自在に固定するとともに、筐体1から分離して交換可能な扉一体型交換ユニット41とを備えている。そして、遊技機Sの正面側には、筐体1の正面開口部27を開閉可能に塞ぐための扉2が形成されている。そして、筐体1の正面開口部27は、筐体1の上部であって、中板7より上部に開口する開口上部25と、筐体1の下部であって、中板7より下部に開口する開口下部26とを備えている。そして、前記扉2は、筐体1の開口上部25を開閉可能に塞ぐための上扉21と、筐体1の開口下部26を開閉可能に塞ぐための下扉22とを備えている。
【００２３】
前記扉一体型交換ユニット41は、筐体1の正面開口部27の上部の開口上部25を開閉自在に塞ぐ上扉21と、枠状の支持体6にリールユニット10及び制御装置73を固定した交換ユニット40とを備えている。このリールユニット60は、複数の図柄19が表示された回転リール3及びこの回転リール3を回転表示させるための駆動手段を有するものである。そして、交換ユニット40の手前側には、上扉21が取り付けられてある。そして、この交換ユニット40及び上扉21により、上扉21の裏にリールユニット10を開閉自在に取り付けて、両者が一体となった扉一体型交換ユニット41を形成している。この交換ユニット40は、中板7上面に固定するとともに上扉21と一緒に筐体1から分離して交換可能なものである。すなわち、通常のいわゆる新台入れ替えの際には、交換ユニット40及び上扉21が一体となった扉一体型交換ユニット41毎に入れ替えることができるものである。もちろん、新台入れ替えの際、上扉21は、そのままで、交換ユニット40だけを交換することもできる。
【００２４】
なお、ここで、本明細書中の「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２５】
（筐体1）  前記筐体1は、全体形状が略箱状であって、底面に配置した底板75と、この底板75の左右端縁から上方に向かって設けられた左右の側板76と、この側板76の上端間に渡した天板77と、左右の側板76の後側の端面間に渡して、裏側を塞ぐ奥板78とからなる正面側に開口するものである。すなわち、底板75と、その左右の側板76と、天板77とにより、四角枠状の四角枠部材を形成し、この四角枠部材の正面側に正面開口部27が開口し、四角枠部材の奥側を奥板78が塞いでいるものである。そして、この筐体1の高さ方向略中央部には、二つの側板76の間に水平方向に中板7が渡してある。そして、この中板7は、交換ユニット40を筐体1の奥側内部に案内するためのガイドを中板7上面の左右に形成している。そして、底板75には、各部品に電気を供給するための電源装置8と、投入された遊技媒体を貯留するとともに払い出し皿12に遊技媒体を払い出し可能なホッパーユニットとも呼ばれる払い出し装置5とが固定されている。
【００２６】
ここで、電源装置8は、開口下部26の底板75の上面に取り付けられており、遊技店側が種々の設定を行うためのスイッチ等の設定操作部を有している。
前記電源装置8及び払い出し装置5は、交換ユニット40の交換に際し、必ずしも交換する必要のないものであり、交換時には設置されたままにしておけるようになっているものである。
また、左側の側板76の下部には、前記下扉22を係合させ、回転自在に支持するための下扉用被係合部51が、上下方向に間隔をおいて二つ設けられている。
そして、右側の側板76の内側上部には、封印手段90の被差し込み体120が、ワンウェイねじ127により固定されている。
【００２７】
（扉一体型交換ユニット41）  前記扉一体型交換ユニット41は、上扉21及び交換ユニット40からなるものである。この扉一体型交換ユニット41は、交換ユニット40の支持体6の上扉用被係合部53に、上扉21の左側の上扉用係合部52を回転自在に係合させている。そして、扉一体型交換ユニット41は、交換ユニット40の支持体6の扉用係止片69に、上扉21の右側を係止させている。これにより、上扉21を交換ユニット40の支持体6の前面側に固定しているものである。
前記扉一体型交換ユニット41は、遊技ホールにおける、いわゆる新台入れ替えの際、遊技内容を変更するために筐体1に対して交換可能に形成されているものである。この扉一体型交換ユニット41は、交換ユニット40と、この交換ユニット40の手前側に開閉可能に取り付けられた上扉21とから形成されているものである。この交換ユニット40及び上扉21は、両者が一体となった状態で、筐体1から取り外し、また、取り付けることができるように形成されている。なお、交換ユニット40から上扉21を取り外せば、いわゆる新台入れ替えの際、上扉21はそのまま交換せずに、交換ユニット40だけを交換することができる。このように、交換ユニット40だけの取り付けや、取り外しも可能となるように形成されている。
【００２８】
（交換ユニット40）  前記交換ユニット40は、四角枠状の支持体6に、リールユニット10と、当該遊技機Sの各部品を制御するための制御装置73とを固定しているものである。前記交換ユニット40は、筐体1に着脱自在に取り付けられているものである。
前記リールユニット10は、支持体6に固定されているものである。このリールユニット10は、複数の図柄19が表示された回転リール3及びこの回転リール3を回転表示させるための駆動手段（図示せず）を有する。
ここで、回転リール3は、周囲に複数の図柄を表示した３個の回転リール3からなるものである。そして、駆動手段は、特に図示しないが、それぞれの回転リール3を回転させるための駆動モータを有している。そして、制御装置73は、回転リール3の回転等を制御するための主制御装置が透明樹脂からなる四角箱状の基板ケースの内部に収納されているものである。
【００２９】
前記支持体6の正面左側の開口縁には、上扉21を回転自在に係合するための上扉用被係合部53が、上下方向に間隔をおいて二つ設けられている。この上扉用被係合部53は、具体的には、上方に向かって突出する円柱棒状を有するものであり、上扉用係合部52は、かかる円柱棒状の上扉用被係合部53に上方から回転自在に被さる円筒状のものを有しているものである。
さらに、支持体6の正面右側の縦方向の開口縁には、上扉21を閉めた際、上扉21のロック可動片31をロックするための扉用係止片69が、上下方向に間隔をおいて二つ設けられている。このように、支持体6の左側の上扉用被係合部53と、上扉21の上扉用係合部52とにより、上扉21が支持体6に回転可能に軸支され、支持体6の扉用係止片69と、上扉21のロック可動片31とにより、両者を一体のものに固定することができる。
【００３０】
前記交換ユニット40の支持体6の前面側の縦枠の左右には、後方に向かって鉤状に延びるクリップ用係止片56が形成されている。このクリップ用係止片56は、筐体1の左右の側板76の内面側に固定されているキャッチクリップ57により、交換ユニット40を筐体1に固定することができるものである。このキャッチクリップ57及びクリップ用係止片56により、交換ユニット40を筐体1に固定するための固定装置55を形成しているものである。
前記交換ユニット40の支持体6は、支持体6の正面から向かって右側の縦枠に固定された係止ケース130と、この係止ケース130に固定されている係止棒140とを備えている。そして、この係止棒140には、封印手段となる差し込み体100の一方の端部が固定されている。
【００３１】
（係止ケース130）  前記係止ケース130は、交換ユニット40の支持体6の正面側の右側縦枠の内面に固定されている円筒状のケースであって、その側面は、側面板132で覆われている。そして、この側面板132の略中央には、表裏に貫通するケース孔131が形成されている。  （係止棒140）  前記係止棒140は、かかるケース孔131に固定されているものである。前記係止棒140は、棒状の円柱部143と、この円柱部143の一方の端部に設けた球状の球体部141と、円柱部143の他方の端部に設けた円板状の円板部144と、円柱部143の長手方向の途中にリング状に突出する円環部142とを備えているものである。前記円柱部143の直径は、ケース孔131の直径より僅かに小さくなるように形成されてあり、球体部141、円環部142及び円板部144の外形は、ケース孔131よりも大きくなるように形成されている。そして、この係止棒140は、図２に示すように、工場における製造段階において、球体部141と円環部142との間の円柱部143に、係止ケース130のケース孔131が嵌り込んでいるような状態で製造されているものである。
【００３２】
なお、ここで、本実施の形態では、支持体6は、上述したような係止ケース130及び係止棒140を有して、これらにより、差し込み体100の一端を固定可能に形成しているが、特にこのような係止ケース130及び係止棒140を有することに限定されるものではなく、差し込み体100のリング部103を支持体6に固定可能なものであれば、他の形状のものでも良く、また、差し込み体100のリング部103を、直接、支持体6の一部に固定できるようなものでも良い。
（上扉21）  前記上扉21は、筐体1の開口上部25の開閉を行うための扉2であって、交換ユニット40の支持体6に回転自在かつロック可能に形成されている板状の扉2である。そして、上扉21は、樹脂板からなる表示窓28が形成されている。遊技者は、回転リール3の図柄19を、表示窓28の略中央に設けた図柄表示窓23を介して、正面側から見ることができるように形成されている。そして、上扉21の周囲には、アーチ状のランプ等を有する表示装置86が設けられている。
【００３３】
さらに、上扉21の左側の裏面には、上扉用係合部52が、上下方向に間隔をおいて二つ設けられている。この上扉用係合部52は、交換ユニット40の正面側の左側の上扉用被係合部53に回転自在に係合させることができるものである。これにより、交換ユニット40の左端に上扉21を回転自在に係合させることができて、開閉自在とするものである。
そして、上扉21の正面から向かって右側の裏面には、扉ロック機構が設けられている。この扉ロック機構は、上扉21の背面側から奥側に向かって突出する２本のロック可動片31を備えているものである。このロック可動片31は、交換ユニット40の支持体6の前面側の右側の縦枠に上下方向に２カ所設けた扉用係止片69に係合することができるものである。
【００３４】
（下扉22）  前記下扉22は、筐体1の開口下部26を開閉自在に塞ぐための、上扉21よりも幅厚の扉であり、筐体1の側板76に回転自在かつロック可能に形成されているものである。
前記下扉22の正面側の上部及び上面は、遊技機Sを作動させるための操作部18となっており、下扉22の上面は、閉扉時においては、上扉21よりも前側に突出するようになっている。すなわち、この下扉22は、上扉21の下部の前側を、前側から覆うような状態で、ロックされ、下扉22の上部は、上扉21の下部よりも、手前側に配置するように形成されている。したがって、上扉21を閉じた状態で、下扉22を閉じた場合、下扉22を開けることなく、上扉21だけを開くことはできないように形成されている。このため、上扉21を開放する際には、必ず、下扉22の開放が条件となるものである。これにより、制御装置73や、回転リール3等の開口上部25に配置されている部品が、ゴト行為により、操作されるのを抑えることができるものである。
【００３５】
また、下扉22の正面側の下部には払い出された遊技媒体を溜めておくための凹状の払い出し皿12が形成されており、この払い出し皿12の上部には、払い出し皿12へ遊技媒体を払い出すための払い出し口74が形成され、下扉22の正面側の略中央部には、遊技内容その他の案内表示をするための前パネル85が嵌め込まれている。
前記操作部18としては、下扉22の上面右端には媒体投入口71と、上面左側に設けられたベットスイッチ17と、正面側にはレバー式のスタートスイッチ15と、ボタン式のストップスイッチ16と、鍵穴87とが設けられている。なお、ベットスイッチ17とは、遊技媒体である貯留メダルをメダル投入に代えるためのものであり、スタートスイッチ15及びストップスイッチ16は、回転リール3の回転を開始及び停止させるためのものである。そして、鍵穴87は、下扉22を解錠するためのものであり、この穴に所定の鍵を差し込んで回すと、下扉22の扉ロック機構のロックが解除されるものである。
【００３６】
さらに、下扉22の裏面側には、前記媒体投入口71から投入された遊技媒体を誘導しながら遊技媒体の正偽を判断するための媒体セレクター4が設けられている。
また、下扉22の左側の裏面には、筐体1の下扉用被係合部51と係合可能な下扉用係合部50が上下方向に間隔をおいて二つ設けられている。そして、下扉22の右側の裏面には、筐体1の下扉22用の扉用係止片69にロック可能なアンカー状の下扉22用のロック可動片31を有する扉ロック機構が設けられている。前記鍵穴87により、下扉22を開いた後、上扉21の下端から延びるレバーを操作することにより、上扉21の扉ロック機構であるロック可動片31を可動させて、上扉21用の扉用係止片69から外し、上扉21を開けることができるように形成されている。
【００３７】
（封印手段90）  前記封印手段90は、交換ユニット40を、筐体1に固定した際に、交換ユニット40と筐体1との間を封印し、交換ユニット40を取り外す際には封印を解かれるものである。
前記封印手段90は、交換ユニット40に一方の端部を固定した略棒状の差し込み体100と、筐体1に固定して、差し込み体100を差し込み可能な差し込み孔121を有する被差し込み体120とを備えている。
（差し込み体100）  前記差し込み体100は、交換ユニット40の支持体6の右側の縦枠の内面側に設けた係止ケース130から延びる係止棒140に固定されている。この差し込み体100は、弾性変形可能な軟質樹脂からなるものであって、全体形状が略板状に形成されているものである。この差し込み体100は、係止棒140に係止されるリング状のリング部103と、このリング部103から延びる差し込み本体部104と、差し込み本体部104の先端側の矢羽根状の差し込み矢羽根部101を有する差し込み部106とを備えている。
【００３８】
前記リング部103は、前記係止棒140の円板部144及び円環部142の間の円柱部143の所定位置に嵌め込まれているものである。このリング部103の内径は、円柱部143の直径より、大きく、且つ、円板部144の外径よりも、小さくなるように形成されている。これにより、係止ケース130に固定された係止棒140の円柱部143に嵌め込まれた状態では、係止棒140から取り外すことができないものである。なお、この係止棒140に差し込み体100のリング部103を嵌め込むのは、予め工場における係止棒140の製造段階において、行われるものである。
前記差し込み本体部104は、リング部103から板状に延びる長尺状の部材である。この差し込み本体部104の長手方向の途中には、幅が狭くなって断面積が小さなくびれ部102が形成されている。差し込み体100に力が加わると、このくびれ部102から破断されるように形成しているものである。このくびれ部102は、封印状態を解除するために、第１孔部に差し込まれた差し込み部106を、第２孔部に一致するようにねじったときには、かかるくびれ部102から破断するように形成されている。
【００３９】
前記差し込み部106は、差し込み本体部104の自由端側の先端に形成されている。そして、この差し込み部106は、被差し込み体120の差し込み孔121へ差し込むことができるように移動自在に形成されている。
前記差し込み矢羽根部101は、差し込み孔121へ差し込み可能な矢羽根状の羽根である。
そして、差し込み体100のくびれ部102から、差し込み矢羽根部101側と、くびれ部102からリング部103側の差し込み本体部104には、当該遊技機の封印状態を管理するためのシリアルナンバー等の管理情報を表示するための情報表示部105が形成されている。
（被差し込み体120）  前記被差し込み体120は、筐体1の正面から向かって右側の側板76の内面に固定して、差し込み体100を差し込み可能な差し込み孔121を有するものである。
【００４０】
前記被差し込み体120は、筐体1の正面から向かって右側の側板76の内面に２個のワンウェイねじ127で固定された縦断面形状が略Ｌ字状の固定片126と、この固定片126の左端に設けた四角箱状の被差し込み本体部124と、差し込み孔121が連通するとともに、被差し込み本体部124の内部の収納空間を有する被差し込み収納部128とを備えている。そして、被差し込み本体部124の正面側には、差し込み体100の差し込み部106が差し込まれる十字状の差し込み孔121が形成されている。
前記差し込み孔121は、差し込み矢羽根部101を特定の方向で抜き差し可能な第２孔部122と、他の方向では、差し込み矢羽根部101を変形させることにより差し込み可能であるが抜き取りは、差し込み矢羽根部101が引っかかって、差し込み部106を抜き取り不可能な第１孔部123とによって形成されている。
【００４１】
前記第２孔部122は、横方向に細長い長方形状に開口しているものである。この第２孔部122は、第１孔部123へ差し込んだ差し込み部106が特定の方向へ回転移動することによって、差し込み部106を抜き取り可能とするものである。この第２孔部122の左右に開口する距離は、差し込み矢羽根部101の約９０度程度に２方向に開いた羽根の最大幅よりも僅かに大きくなるように形成されている。また、第２孔部122の上下に開口する長さは、差し込み部106の厚みより僅かに大きくなるように形成されている。
前記第１孔部123は、縦方向に細長い長方形状に開口しているものである。この第１孔部123の縦方向の長さは、差し込み矢羽根部101の約９０度程度に２方向に開いた矢羽根の最大幅よりも小さくなるように形成されている。また、第１孔部123の左右に開口する長さは、差し込み部106の厚みよりも僅かに大きくなるように形成されている。
【００４２】
そして、差し込み部106を差し込み孔121の第１孔部123に差し込むことにより交換ユニット40及び筐体1の間を封印状態にすることができる。すなわち、差し込み矢羽根部101を差し込み孔121の第１孔部123に向かって、差し込み矢羽根部101の矢羽根を縦方向にした状態で差し込むと、第１孔部123の縦方向の開口距離は、矢羽根の最大幅よりも小さく形成されているが、矢羽根は弾性変形することにより、第１孔部123から差し込み本体部124の内部に入り込むことができる。そして、差し込み矢羽根部101の矢羽根は、第１孔部123から被差し込み本体部124の内部に入り込んだ際、その弾性力により、矢羽根は元の状態に開いて、差し込み矢羽根部101の第１孔部123から引き抜く方向に力が加わっても、差し込み矢羽根部101の矢羽根が第１孔部123の端縁に引っかかって引き抜くことはできないように形成されている。そして、差し込み体100の途中を、はさみ等により切断することにより、或いは、差し込み体100の両端を引っ張ってくびれ部102から引きちぎることにより、差し込み体100を切断することができる。そして、この差し込み体100を切断することにより封印状態を解除するものである。また、差し込み体100は、第１孔部に差し込まれた込差し込み部106を、第２孔部122に一致するようにねじったときには、くびれ部102から差し込み体100が破壊され、封印状態を解除するものである。
【００４３】
その際、差し込み体100の反差し込み部106側は、交換ユニット40に固定してある。すなわち、差し込み体100の差し込み部106と反対側の端部にあるリング部103は、係止棒140及び係止ケース130を介して、交換ユニット40の支持体6に固定してある。そして、上述したように差し込み体100をくびれ部102から切断して封印状態を解除すると、差し込み体100のうち、封印状態を解除するために切断する切断部よりも、差し込み部106側は、差し込み収納部128の内部に残留するように形成されている。
そして、被差し込み体120は、外部から内部を見ることが可能な透明部材である透明樹脂により形成されている。
【００４４】
さらに、第１孔部123に差し込まれた差し込み体100の差し込み矢羽根部101を、第２孔部122の形状に一致するようにねじった（回転した）ときには、差し込み体100の差し込み矢羽根部101が第２孔部122から抜けて封印状態を解除することができる。その際、くびれ部102から差し込み体100が破壊され、封印が解除の痕跡が残る。
なお、ここで、被差し込み体120は、上述したような透明樹脂ではなく、枠状の枠体に形成しても良い。この枠状の枠体は、全体形状が網目状の金属網から形成されているものである。その網目の大きさは、切断された差し込み矢羽根部101がそのままでは、引っかかって落っこちないが、ピンセットを使用すれば、差し込み矢羽根部101を弾性変形させることにより、被差し込み本体部124の外部から破断した差し込み矢羽根部101を引き出すことができる程度の大きさに形成されているものである。これにより、差し込み収納部128の内部を、外部から見ることができ、また、内部に残留した差し込み矢羽根部101を簡単に取り出すこともできる。したがって、被差し込み体120を分解等することなく、過去の封印状態や、封印解除の履歴を、外側から簡単に理解することができる。
【００４５】
（作用）  棒状の差し込み体100のリング部103は、係止棒140及び係止ケース130を介して交換ユニット40に固定されている。このため、封印作業を行う前においても、差し込み体100は、交換ユニット40の支持体6と一体となっている状態である。このため、遊技機Sとは別に、差し込み体100を別個独立に管理する必要がなく、交換作業を容易なものにすることができる。
そして、封印を解除するために、差し込み体100のくびれ部102から切断した場合、差し込み体100のリング部103側の端部は、交換ユニット40の支持体6に固定されたままの状態となる。これにより、差し込み体100がくびれ部102から切断された後も、リング部103側の端部が、残って、封印解除の履歴を残すことができる。
【００４６】
そして、差し込み体100の差し込み部106は、差し込み孔121の第２孔部122に対して、抜き差し可能である。
すなわち、第１孔部123に差し込まれた差し込み部106を、第２孔部122に一致するようにねじって第２孔部122と整合させた場合には、差し込み部106が第２孔部122から抜けて、封印状態を解除することができる。すなわち、差し込み部106をねじるだけで、差し込み体100を差し込み孔121から抜くことができて、封印状態を解除できる。これにより、頻繁な点検や、作業においても、、封印状態を簡単に解除することができる。これにより、筐体1から交換ユニット40を取り外して頻繁に修理や点検を行わなければならないような状態にも、対応することができる。
【００４７】
また、差し込み体100の差し込み矢羽根部101は、第２孔部122でしか、抜き差しすることができず、第１孔部123からは、抜き取ることができないため、差し込み矢羽根部101が第１孔部123に差し込まれた通常の状態では、両者を分離することができず、封印状態を維持することができる。
上述したように封印状態を解除するためには、差し込み部106をねじることが必要であり、さらに、差し込み矢羽根部101を第２孔部122から抜くためには、差し込み矢羽根部101が第２孔部122に整合する位置までねじらなければならない。これにより、本実施の形態では、封印状態を解除するために困難性を伴うように形成しているものである。
【００４８】
なお、差し込み体100の材質を適宜選択してねじりやすさを調整することにより、或いは、第２孔部122の寸法形状を差し込み矢羽根部101に対して調整することにより、封印状態の解除の困難性の程度を容易に調整することができる。
具体的には、差し込み体100の材質や強度を適宜なものに選択することにより、ねじりやすさ又はねじりにくさを適宜なものにすることができる。例えば、差し込み体100を剛性の大きな弾性変形し難い材質からなる金属や樹脂を選択することにより、また、弾性樹脂の内部に剛性の強い金属片を挿入することにより、非常にねじりにくいものにすることができ、所定の工具等を使用しなければねじることが容易ではないようなものにすることができる。これにより、封印解除の困難性の程度を高いものにすることができる。
【００４９】
一方、差し込み体100を剛性の小さく弾性変形し易い材質からなる金属や樹脂を選択することにより、簡単にねじりやすいものにすることができる。これにより、封印解除の困難性の程度を低いものにすることができる。
封印状態の解除のために差し込み体100を、交換ユニット40に固定した差し込み体100のくびれ部102から切断すると、そのくびれ部102よりも自由端側である差し込み部106側が、差し込み収納部128の内部に残留する。また、そのくびれ部102から基端側である反差し込み部106側のリング部103は、係止棒140及び係止ケース130を介して交換ユニット40に固定されている状態となる。これにより、差し込み体100の切断した先端側、基端側のいずれも、特に回収を行わなくても、遊技機内部にゴミとして、浮遊した状態で残るようなことを防止することができる。したがって、かかる切断ゴミが、遊技機内部の各部品の内部に入り込んだり、部品間の隙間に入り込んだり、部品の間を浮遊するゴミのようなものとなってしまい部品の正常作動に悪影響を与えるようなことを防止することができる。
【００５０】
また、差し差し込み体100は、封印状態を解除するために、第１孔部123に差し込まれた差し込み部106を、第２孔部122に一致するようにねじったときには、差し込み体100を破壊するくびれ部102を備えている。このため、第１孔部123に差し込まれた差し込み体100を、第２孔部122に一致するようにねじったときには、差し込み体100が第２孔部122から抜けて、封印状態を解除する。その際、差し込み体100は、くびれ部102から破壊される。これにより、封印を解除した痕跡を、差し込み体100に残すことができる。
上述したように、第２孔部122に一致するまでねじると破断するくびれ部102を有しているため、交換ユニット40に固定される差し込み体100は、封印状態として固定された後、破壊しないと交換ユニット40から取り外せない。これにより、差し込み体100を不正に交換された場合の早期に発見することができ、また、そのような不正交換に対する抑止力を有することになる。
【００５１】
更に、差し込み部106を差し込み収納部128に残留させることができるため、差し込み収納部128内部に残留した差し込み部106の情報表示部105をチェックすることにより、過去の封印状態や、封印解除の履歴を一目で明らかなものにすることができる。これにより、遊技機の維持管理を容易なものにすることができる。
そして、被差し込み体120を外部から内部を見ることができる透明樹脂からなる透明部材により形成しているため、被差し込み体120の被差し込み本体部124の内部を開くことなく、被差し込み体120の差し込み収納部128内部に残留する差し込み部106を見ることができる。これにより、被差し込み体120を分解することなく、過去の封印状態や、封印解除の履歴を、外側から簡単に理解することができる。
【００５２】
また、上述した実施の形態では、遊技媒体として円板状の遊技メダルを使用しているスロットマシンであるが、遊技媒体として、球状の遊技球を使用する、いわゆるパロットに適用することもできる。
【図面の簡単な説明】
【００５３】
【図１】本発明の実施の形態であって、封印手段を横方向から見た状態を示す縦断面図である。
【図２】本発明の実施の形態であって、封印手段を正面方向から見た状態を示す縦断面図である。
【図３】本発明の実施の形態であって、差し込み体、係止棒及び係止ケースを示す外観斜視図である。
【図４】本発明の実施の形態であって、遊技機を示す外観正面図である。
【図５】本発明の実施の形態であって、上扉、下扉、交換ユニット及び筐体を分離した状態を示す外観斜視図である。
【図６】本発明の実施の形態であって、上扉、下扉及び筐体を分離した状態を示す外観斜視図である。
【符号の説明】
【００５４】
S  遊技機                              1  筐体
2  扉                                  3  回転リール
4  媒体セレクター                      5  払い出し装置
6  支持体                              7  中板
8  電源装置                            10  リールユニット
12  払い出し皿                          15  スタートスイッチ
16  ストップスイッチ                    17  ベットスイッチ
18  操作部                              19  図柄
21  上扉                                22  下扉
23  図柄表示窓                          25  開口上部
26  開口下部                            27  正面開口部
28  表示窓                              31  ロック可動片
40  交換ユニット                        41  扉一体型交換ユニット
50  下扉用係合部                        51  下扉用被係合部
52  上扉用係合部                        53  上扉用被係合部
55  固定装置                            56  クリップ用係止片
57  キャッチクリップ                    69  扉用係止片
71  媒体投入口                          73  制御装置
74  払い出し口                          75  底板
76  側板                                77  天板
78  奥板                                85  前パネル
86  表示装置                            87  鍵穴
90  封印手段                            100  差し込み体
101  差し込み矢羽根部                  102  くびれ部
103  リング部                          104  差し込み本体部
105  情報表示部                        106  差し込み部
120  被差し込み体                      121  差し込み孔
122  第２孔部                          123  第１孔部
124  被差し込み本体部                  125  支持片
126  固定片                            127  ワンウェイねじ
128  差し込み収納部                    130  係止ケース
131  ケース孔                          132  側面板
140  係止棒                            141  球体部
142  円環部                            143  円柱部
144  円板部
【図１】
2006141420.tif 000003
【図２】
2006141420.tif 000004
【図３】
2006141420.tif 000005
【図４】
2006141420.tif 000006
【図５】
2006141420.tif 000007
【図６】
2006141420.tif 000008